(57)【要約】      （修正有）【課題】面倒な縫着・接着構造によらずに簡単に組立でき、組立てる楽しみをも得ることができる組立式クラフトケース展開構成体及びクラフトケースを提供する。【解決手段】中央の底壁部と、底壁部から互いに内側に折込むよう外方に向けて延設し且つ折込後に互いに隣接する各側縁部同士を当該側縁部自身の各側辺における外端側もしくは底壁部に近い内端側から外方に向けて渦巻状もしくは蛇行状となって繋がった紐１１で縫合するよう当該各側縁部同士に形成した複数の通し孔１０を設けた複数の側壁部３，４，５，６と、折込んだ各側壁部３，４，５，６による上部開口を覆うよう当該各側壁部３，４，５，６の相対向するいずれか一方に延設した上蓋部７と、各側壁部３，４，５，６の相対向するいずれか他方に上蓋部７の先端を差し込み固定可能となるよう折込むことで挿入部９を形成した切込部８とを備える。【選択図】図１
0003186183.tif 000002
【実用新案登録請求の範囲】
【請求項１】
底壁部と、この底壁部から互いに内側に折込まれるよう外方に向けて延設され且つ折込後に互いに隣接する各側縁部同士が当ろ該側縁部自身に繋がった紐で縫合されるよう当該各側縁部同士に形成された複数の通し孔が設けられている複数の側壁部と、折込まれた各側壁部による上部開口を覆うよう当該各側壁部の相対向するいずれか一方に延設された上蓋部と、各側壁部の相対向するいずれか他方に上蓋部の先端を差し込み固定可能となるよう折込むことで挿入部が形成される切込部と、を備えてケース展開構成体となしたことを特徴とする組立式クラフトケース展開構成体。
【請求項２】
前記紐は、各側壁部の相対向する一方および他方の各側辺における外端側もしくは底壁部に近い内端側から外方に向けて一体延設してなる請求項１記載の組立式クラフトケース展開構成体。
【請求項３】
前記紐は、各側壁部の相対向する一方および他方の各側辺の対称位置もしくは非対称位置からそれぞれ外方に向けて渦巻状もしくは蛇行状となって一体延設してなる請求項１または２記載の組立式クラフトケース展開構成体。
【請求項４】
請求項１乃至３記載のケース展開構成体の組立てによって形成されるクラフトケースであって、底壁部と、互いに隣接する各側縁部同士に形成されている複数の通し孔に紐を交互に挿通して縫合された複数の側壁部と、上部開口を覆うよう当該各側壁部のいずれか一方側から延設された上蓋部と、上蓋部の先端を差し込み固定可能となるよう各側壁部のいずれか他方側に形成された挿入部と、を具備してなることを特徴とするクラフトケース。
【考案の詳細な説明】
【技術分野】
【０００１】
本考案は、縫着もしくは接着する等の工程を得ずして容易に組立てられ、例えばペン、名刺、携帯端末、キーその他の小物類の各種物品を収納可能とした主として革製による組立式クラフトケース展開構成体およびこれによって組立てられるクラフトケースに関するものである。
【背景技術】
【０００２】
従来、革製、合成皮革製等によるクラフトケースでは、縫着あるいは接着によって制作されるのが一般的である。そのための材料となる皮革材は、動物の皮膚を剥ぎ取って毛を除去した皮に対し、そのままだと固化して腐敗してしまうので、柔らかくして耐久性や可塑性を加える所謂「なめし」を行う。例えばタンニンなめしやクロムなめし等のなめし加工を施すことにより、単に動物の皮膚だった皮から、製品に使われる革へと変化する。このように生成された皮革材は、例えばペン、名刺、携帯端末、キー等を収納可能とした種々のケースとしても制作、使用される。
【０００３】
こうして制作されるこの種のケースとして、例えば、特許文献１に開示されているように、厚みの違う機器を隙間なく緊密に収納可能にする機器収納用携帯ケースが提案されている。これは合成樹脂製シートまたは皮革生地からなる表面部および裏面部、さらには当該表裏両面部の左右両側の剛性素材からなる側壁部とでケース本体とし、当該左右側壁部を機器挿入方向と平行に１列または２列の直線状に切断し、該切断部を縦横両方向に伸縮自在の襠（まち）にて被覆して形成されている。
【０００４】
また、特許文献２に開示されているように、短時間で量産でき、しかも柔らかい革を用いても型崩れしないケースが提案されている。すなわち、これは革製もしくは合成繊維製の外側シート材と内側シート材とを接着して一体化してなる接着シート材で構成されており、上記一体化が、革製もしくは合成繊維製の外側シート材とホットメルト接着剤製の中間シート材と内側シート材とからなる積層シート材を、金型に配して所定の形状にし、その状態で上記積層シート材を加熱することにより行われるものとされている。
【０００５】
また、特許文献３に開示されているように、各種サイズの移動電話を、そのサイズに適応させて円滑に収納でき、しかも移動電話を収納する際にケース自体が破損するのを防止可能とした移動電話用収納ケースが提案されている。すなわち、これはケース本体を底部材で連結して相対設した皮革等による前側部材と後側部材と、前側部材および後側部材の両部材間に位置させて設けた伸縮性収容部材とで構成されている。この伸縮性収容部材は、ゴム布材等によりなる伸縮性生地体の両端に皮革等よりなる非伸縮性の取付用帯片を縫着等で固着して構成され、一方の帯片を前側部材の一側縁に、また、他方の帯片を前側部材の他側縁に縫着等により固着し、伸縮性生地体の中央部分を後側部材の内側面の中央部分に固着することによって構成されている。
【先行技術文献】
【特許文献】
【０００６】
【特許文献１】特開平１０−１１７８３０号公報
【特許文献２】特開２００７−９７７７３号公報
【特許文献３】実用新案登録第３０３４０１１号公報
【考案の概要】
【考案が解決しようとする課題】
【０００７】
しかしながら、特許文献１においては、剛性素材からなる左右側壁部における切断部の縦横両方向へ伸縮自在とした襠（まち）による被覆成形工程が非常に面倒な作業となり、また製造コストも掛かる。
【０００８】
特許文献２においては、ホットメルト接着剤製の中間シート材を介して外側シート材と内側シート材とを金型により所定の形状に加熱一体化させる接着構造であるため、大量生産には好適でも製造設備を要し、簡単には制作できない。
【０００９】
特許文献３においては、前側部材、後側部材の両部材間に設けた伸縮性収容部材は、伸縮性生地体の両端に非伸縮性の取付用帯片を縫着等で固着して構成し、取付用帯片それぞれを前側部材の側縁それぞれに縫着等により固着して構成される縫着構造であるため、ミシン等の縫着用機器、工具等を必要とし、しかも面倒な作業となり、個人的制作は困難である。
【００１０】
また、上記した特許文献１乃至特許文献３における各ケースは、いずれも大量生産を前提として製造工場にて所定の形状・構造のものとして一体的に製造されるから、使用者がいわゆるプラモデル感覚で自由に組立て使用できるという楽しみが全く得られず、個人的な工夫・制作によって楽しみが得られるようにすることは考慮されていない。
【００１１】
一方、皮革等の原反材料を購入して自分の希望とするクラフトケースを組立てるとしても、原反材料からクラフトケースの展開物を裁断する必要があり、制作・組立時において接着する場合あるいは縫合する場合には接着剤や縫合用の紐・糸、さらにはハサミ・カッタナイフ・キリ等の工具、治具等を必要とし、組立作業は容易ではない。
【００１２】
そこで、本考案は叙上のような従来存した諸事情に鑑み創案されたもので、従来のように面倒な縫着・接着によらずに、また工具、治具を要せずに簡単に組立てることができ、例えばプラモデル感覚で自由に組立て使用でき、しかも組立てる楽しみをも得ることができる組立式クラフトケース展開構成体およびこれによって組立てられたクラフトケースを提供することを目的とする。
【課題を解決するための手段】
【００１３】
上述した課題を解決するために、本考案に係る組立式クラフトケース展開構成体にあっては、底壁部２と、この底壁部２から互いに内側に折込まれるよう外方に向けて延設され且つ折込後に互いに隣接する各側縁部同士が当該側縁部自身に繋がった紐１１で縫合されるよう当該各側縁部同士に形成された複数の通し孔１０が設けられている複数の側壁部３，４，５，６と、折込まれた各側壁部３，４，５，６による上部開口を覆うよう当該各側壁部３，４，５，６の相対向するいずれか一方に延設された上蓋部７と、各側壁部３，４，５，６の相対向するいずれか他方に上蓋部７の先端を差し込み固定可能となるよう折込むことで挿入部９が形成される切込部８と、を備えてケース展開構成体１２となしたことを特徴とする。
前記紐１１は、各側壁部３，４，５，６の相対向する一方および他方の各側辺における外端側もしくは底壁部２に近い内端側から外方に向けて一体延設してなるものとすることができる。
前記紐１１は、各側壁部３，４，５，６の相対向する一方および他方の各側辺の対称位置もしくは非対称位置からそれぞれ外方に向けて渦巻状もしくは蛇行状となって一体延設してなるものとすることができる。
また、上記ケース展開構成体１２の組立てによって形成されるクラフトケースであって、底壁部２と、互いに隣接する各側縁部同士に形成されている複数の通し孔１０に紐１１を交互に挿通して縫合された複数の側壁部３，４，５，６と、上部開口を覆うよう当該各側壁部３，４，５，６のいずれか一方側から延設された上蓋部７と、上蓋部７の先端を差し込み固定可能となるよう各側壁部３，４，５，６のいずれか他方側に形成された挿入部９と、を具備してなることを特徴とする。
【００１４】
以上のように構成された本考案に係る組立式クラフトケース展開構成体にあって、ケース展開構成体１２は、底壁部２に対し各側壁部３，４，５，６が互いに例えば山折され、各側壁部３，４，５，６の互いに隣接する各側縁部同士に形成されている複数の通し孔１０に、当該側縁部自身に繋がった紐１１を交互に挿通して縫合されることで箱状のケース本体１を形成させる。
各側壁部３，４，５，６の相対向するいずれか他方に形成された切込部８は、これを例えば谷折させ、互いに合致させた通し孔１０に紐１１を交互に挿通して縛結させることで、各側壁部３，４，５，６の相対向するいずれか一方側に延設された上蓋部７を挿入可能とする挿入部９を形成させる。
各側壁部３，４，５，６の相対向する一方および他方の各側辺における外端側もしくは底壁部２に近い内端側から外方に向けて一体延設してなる紐１１は、別部材としての原反からの紐１１の裁断や当該裁断のための工具の使用等を不要にさせる。
各側壁部３，４，５，６の相対向する一方および他方の各側辺の対称位置もしくは非対称位置からそれぞれ外方に向けて渦巻状もしくは蛇行状となって一体延設してなる紐１１は、各側縁部同士の複数の通し孔１０への紐１１の挿通作業を容易にさせる。
また、本考案に係るクラフトケースにあって、上蓋部７は複数の側壁部３，４，５，６による上部開口を覆い、当該上蓋部７の先端側を挿入部９に挿入固定させる。
【考案の効果】
【００１５】
本考案によれば、従来のように工具、治具、縫着・接着用機器等を要した面倒な縫着構造あるいは接着構造によらずに工作者等の手作業のみにて簡単に組立てでき、例えばプラモデル感覚で自由に組立て使用でき、独自の工夫をも考慮することで組立てる楽しみを得ることもできる。しかも、組み立てられるクラフトケース展開構成体１２は、例えば皮革材、合成皮革材等によって、各壁部２，３，４，５，６，７等が折込線Ｌ１，Ｌ２を介して、しかもこれを縫合させる紐１１も一体となって配置構成されているから、このクラフトケース展開構成体１２のみで、隣接する各壁部２，３，４，５，６，７間で折り込んだときに対応合致する通し孔１０に対する紐１１の挿通作業で制作でき、その手軽さにかかわらず、高級感あるケースを構成できるのである。
【００１６】
すなわち、これは本考案が、底壁部２と、この底壁部２から互いに内側に折込まれるよう外方に向けて延設され且つ折込後に互いに隣接する各側縁部同士が当該側縁部自身に繋がった紐１１で縫合されるよう当該各側縁部同士に形成された複数の通し孔１０が設けられている複数の側壁部３，４，５，６と、折込まれた各側壁部３，４，５，６による上部開口を覆うよう当該各側壁部３，４，５，６の相対向するいずれか一方に延設された上蓋部７と、各側壁部３，４，５，６の相対向するいずれか他方に上蓋部７の先端を差し込み固定可能となるよう折込むことで挿入部９が形成される切込部８と、を備えてケース展開構成体１２となしたからである。これにより、例えば裁断型を使った抜き打ち加工等によって、底壁部２、複数の側壁部３，４，５，６、上蓋部７、切込部８、通し孔１０、紐１１それぞれが一体となって繋がっているケース展開構成体１２を量産化し、これをユーザに販売提供することで、ユーザ側は従来のように面倒な縫着構造あるいは接着構造によらずに、通し孔１０に紐１１を挿通するだけで箱状のケース本体１を簡単に組立てることができ、しかも通し孔１０に対する紐１１の通し方や紐１１の裏表の使い方等でいろいろなパターンが可能となり、組立てる楽しみを制作者、工作者等に与えることができる。
【００１７】
また、前記紐１１は、各側壁部３，４，５，６の相対向する一方および他方の各側辺における外端側もしくは底壁部２に近い内端側から外方に向けて一体延設してなるので、折込後の互いに隣接する各側縁部同士を縫合するための紐材を別部材として原反から裁断する必要がなく、しかもハサミ・カッタナイフ等の工具も必要としない。
【００１８】
しかも、紐１１は、各側壁部３，４，５，６の相対向する一方および他方の各側辺の対称位置もしくは非対称位置からそれぞれ外方に向けて渦巻状もしくは蛇行状となって一体延設してなるので、折込まれた各側壁部３，４，５，６における各側縁部同士の複数の通し孔１０への紐１１の挿通作業が容易となり、手作業による各側壁部３，４，５，６の縫合がスムーズに行える。特に、紐１１が渦巻状となって一体延設されている場合には、当該紐１１の渦巻状の折癖によって、複数の通し孔１０に対する紐１１の内外交互の通し作業がスムーズに行える。
【００１９】
また、上記ケース展開構成体１２の組立てによって形成されたクラフトケースであって、底壁部２と、互いに隣接する各側縁部同士に形成されている複数の通し孔１０に紐１１を交互に挿通して縫合された複数の側壁部３，４，５，６と、上部開口を覆うよう当該各側壁部３，４，５，６のいずれか一方側から延設された上蓋部７と、上蓋部７の先端を差し込み固定可能となるよう各側壁部３，４，５，６のいずれか他方側に形成された挿入部９と、を具備してなるので、例えばペン、名刺、携帯端末、キー等その他小物類による物品を収納可能とし且つ上蓋部７によって閉蓋可能としたクラフトケースを提供することができる。しかも面倒な縫着構造あるいは接着構造によらず且つハサミ・カッタナイフ・キリ等の工具、治具等を必要せずに使用者自らの手作業のみで簡単に組立てられ、安価で使い勝手の良いクラフトケースを提供することができる。
【００２０】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００２１】
【図１】本考案の実施の一形態における組立後の使用状態の斜視図である。
【図２】同じくケース展開構成体の一例を示す展開平面図である。
【図３】組立時における切込部の谷折後に互いに合致した通し孔に紐を通す状態の斜視図である。
【図４】同じく通し孔に紐を順次に通す状態の斜視図である。
【図５】同じく一方の側壁部における複数の通し孔に交互に紐を通す状態の斜視図である。
【図６】同じく底壁部から他方の側壁部にかけての複数の通し孔に交互に紐を通す状態の斜視図である。
【図７】同じく複数の通し孔に交互に紐を通した後に他方の紐に縛結する状態の斜視図である。
【図８】組立後に上蓋部の先端を挿入部に差し込んだ閉蓋状態の斜視図である。
【考案を実施するための形態】
【００２２】
以下、図面を参照して本考案の実施の形態を詳細に説明すると、図において示される符号１は、本考案に係るクラフトケースを構成する例えば革製または合成皮革製のケース本体であり、例えばペン、名刺、携帯端末、キーその他の小物類の各種物品Ｐを収納可能としている。図示例にあってのケース本体１自体は、平面ほぼ矩形状の底壁部２の周縁である四つの側縁に前後左右の合計四つの側壁部３，４，５，６を立設して、上部が開口されたほぼ直方体状に形成されて成る。もとより、このケース本体１自体は、平面ほぼ多角形状の底壁部２の各辺に側壁部３，４，５，６それぞれを立設してなる角筒状に構成したり、平面ほぼ円形状もしくは楕円形状の底壁部２の周縁に例えば前後左右で分割した四つの側壁部３，４，５，６を立設することで円筒状もしくは楕円筒状に構成したり、その他の形状に形成されたりするものであっても良いものである。以下、ケース本体１の構成について説明する。
【００２３】
図１に示すように、ケース本体１は、例えば中央に配した矩形状となっている底壁部２と、この底壁部２に対し互いに山折されて互いに隣接するよう、各側縁部同士に形成されている複数の通し孔１０に紐１１を交互に挿通して縫合された長方形、正方形等の矩形状を呈する前後左右の各側壁部３，４，５，６とにより、上部が開口されたほぼ直方体状の箱形に形成されている。各側壁部３，４，５，６のうち長方形状の後壁部４には、各側壁部３，４，５，６によって形成される上部開口を覆うように上蓋部７が延設されている。これに対応して各側壁部３，４，５，６のうち長方形状の前壁部３には、上蓋部７の先端を差し込み固定可能となるよう切込部８を介して谷折され且つ前記通し孔１０に紐１１で縛結されることでスリット状となった挿入部９が形成されている。なお、図１にあっては上蓋部７を開けてケース本体１の内部に物品Ｐたる例えばペンが収納されている状態が示されている。
【００２４】
次に、ケース本体１として組み立てられるためのケース展開構成体１２の構成について説明すると、ケース本体１は、所定形状で配された裁断刃を備えた抜型によって、皮革原材または合成皮革原材、場合によっては適度に軟質性の合成樹脂板材等に対する抜き打ち加工等によって、底壁部２、各側壁部３，４，５，６、上蓋部７、切込部８、通し孔１０、紐１１それぞれを備えた一体的なケース展開構成体１２を形成し、このケース展開構成体１２における各側壁部３，４，５，６の折込みと通し孔１０への紐１１の縫合による各側壁部３，４，５，６相互の縛結によって例えば使用者自らによって組立てられるものである。
【００２５】
すなわち、ケース本体１となるケース展開構成体１２は、図２に示すように、例えば中央に配した矩形状の底壁部２と、この底壁部２から四方に向けて延設された側壁部（３，４，５，６）である前壁部３、後壁部４、左壁部５、右壁部６それぞれとを備えている。前壁部３、底壁部２、後壁部４それぞれの平面視左右両側端と、左壁部５、右壁部６それぞれの平面視上下両側端および底壁部２に連なる平面視内側端とには複数の通し孔１０が形成されており、底壁部２に対して前壁部３、後壁部４、左壁部５、右壁部６それぞれが山折された際に互いに隣接配置される各側縁部同士の通し孔１０を対応合致し、各通し孔１０に紐１１を交互に挿通して縫合することで直方体状の箱形に形成されるものとなっている。
【００２６】
また各側壁部３，４，５，６の相対向するいずれか一方側である例えば後壁部４には上蓋部７が延設されている。これに対応して、各側壁部３，４，５，６の相対向するいずれか他方側である例えば前壁部３には平面視一側端例えば右端から切込形成された平面視細長鋭角三角形状もしくは細長クサビ形状の切込部８を設けてある。左壁部５、右壁部６それぞれは対称的な平面視略正方形状となって形成され、左右両壁部５，６それぞれの平面視外端側の上下対称位置から上下外方に向けて例えば展開形態で渦巻状となっている紐１１が一体状に連繋されることで形成されている。
【００２７】
図示にあってのケース本体１は、ペン等の筆記具を収納するのに好適となるよう横長直方体状となるよう横長な、あるいはほぼ正方形状の各壁部２，３，４，５，６，７としてあるも、収納される各種物品Ｐの大きさ、形状に対応して立方体状、偏平体状その他となるよう、各壁部２，３，４，５，６，７の辺縁長さ、紐１１の長さ等が設定されるのは勿論である。
【００２８】
なお、紐１１は、左壁部５、右壁部６の各側辺における底壁部２に近い内端側から外方に向けて一体延設されていても良い。また、紐１１の一体形状も渦巻状に限らず、例えば蛇行状となっていても良い。さらに、紐１１は、左右両壁部５，６それぞれの平面視外端側の上下対称位置でなく、上下両側辺の紐１１のいずれか一方側が他方側から左右方向ににずれた非対称位置となっていても良い。また、紐１１は渦巻状に配置形成されることで、組立時に通し孔１０に通すときの曲がり癖が少なくなり、紐１１を挿通して組立を実施する際に容易に作業させることができる。
【００２９】
次に、以上のように構成されたケース展開構成体１２によるケース本体１の組立の一例について説明すると、先ず、底壁部２に対して前壁部３、後壁部４、左壁部５、右壁部６それぞれが山折されるように、図２の点線で示す折込線Ｌ１に沿って山折状の折癖をつけておく。
【００３０】
図３に示すように、左壁部５、右壁部６それぞれに通し孔１０が形成されている両端部を図３の点線で示す折込線Ｌ２に沿って谷折状の折癖をつけておく。そして、切込部８を介して前壁部３の周側縁部を谷折し、折込位置に近い通し孔１０同士の対応合致箇所に、右壁部６の一側上端側縁部に一体形成されている紐１１を外側から通す。
【００３１】
図４に示すように、右壁部６の一側上端側の通し孔１０に紐１１を挿通してから、折込位置に近い通し孔１０同士の対応合致箇所に再び紐１１を通す。そして、折込位置から２番目の通し孔１０同士の対応合致箇所と、右壁部６の上端から２番目の通し孔１０を合致させておきながら紐１１を外側から通す。
【００３２】
図５に示すように、折込位置から３番目の通し孔１０同士の対応合致箇所と、右壁部６の上端から３番目の通し孔１０を合致させておきながら紐１１を内側から通す。さらに、折込位置から４番目の通し孔１０同士の対応合致箇所と、右壁部６の上端から４番目の通し孔１０を合致させておきながら紐１１を外側から通す。
【００３３】
図６に示すように、底壁部２および後壁部４の通し孔１０と、右壁部６の通し孔１０とを互いに対応合致しておきながら紐１１を所謂まつり縫い状に内外交互に挿通してゆき、後壁部４の最後の通し孔１０においては２度繰り返し紐１１を通す。
【００３４】
図７に示すように、上記通し孔１０に通された紐１１を、右壁部６の他側上端側縁部に一体形成されている他方の紐１１としっかりと例えば玉結び状に縛結する。紐１１の残った末端部分はカットしても良い。なお、反対側の左壁部５においても上記右壁部６の場合と同様な手順により紐１１を挿通して縫合する。
【００３５】
使用の際には、図８に示すように、ケース本体１内に例えばペン、名刺、携帯端末、キーその他の小物類の各種物品Ｐを収納し、上蓋部７の先端を切込部８に差し込み固定しておけば良い。なお、上記した紐１１による各壁部相互の縫合の仕方は一例に過ぎず、他の縫合態様を採用しても良い。
【符号の説明】
【００３６】
Ｐ…物品                                Ｌ１，Ｌ２…折込線
１…ケース本体                          ２…底壁部
３…前壁部                              ４…後壁部
５…左壁部                              ６…右壁部
７…上蓋部                              ８…切込部
９…挿入部                              １０…通し孔
１１…紐                                １２…ケース展開構成体
【図１】
0003186183.tif 000003
【図２】
0003186183.tif 000004
【図３】
0003186183.tif 000005
【図４】
0003186183.tif 000006
【図５】
0003186183.tif 000007
【図６】
0003186183.tif 000008
【図７】
0003186183.tif 000009
【図８】
0003186183.tif 000010